(57)【要約】  シロアリ防除用餌容器は、下端部の反対側に上端部を含む。この餌容器は、シロアリの餌を含む室を含む。下端部は、選択された向きに、少なくとも部分的に地中に設置されたときに下端部を通した水の侵入を低減させる空気閉じ込めポケットを、餌の少なくとも一部分の下方に含む。
2010534473.tif 000002
【特許請求の範囲】
【請求項１】
餌容器を備え、前記餌容器が、シロアリの餌を含む室と、前記室の内部への上開口を画定する上端部と、選択的に前記上開口にアクセスし、気密シールによって前記上開口を閉じるクロージャと、前記餌容器の底部末端を画定する下端部であり、前記餌容器が、選択された向きに、少なくとも部分的に地中に設置されたときに、前記下端部を通した水の侵入を低減させるために空気を閉じ込めるポケットを、前記餌の少なくとも一部分の下方に画定する下端部とを含む有害生物防除デバイス。
【請求項２】
前記餌容器が、前記底部末端を画定する有害生物アクセス配置物を含み、前記有害生物アクセス配置物が、
前記下端部から前記餌に通じる、前記ポケットを少なくとも部分的に画定する１つまたは複数の通路を形成するために１種または数種のシロアリが除去することができる材料と、
前記底部末端と前記餌の間に延び、前記ポケットを少なくとも部分的に画定する１つまたは複数の通過路
のうちの１つまたは複数を含む、請求項１に記載のデバイス。
【請求項３】
少なくとも部分的に地中に設置するように構築されたハウジングをさらに備え、前記ハウジングが、地中に設置された後に地面よりも下に位置するハウジング下端部で終わり、前記餌容器を受け取る内部通路内への上アクセス開口を画定し、前記餌容器の前記選択された向きを達成するために、前記下端部が、前記上端部よりも先に前記上アクセス開口を通過する、請求項１に記載のデバイス。
【請求項４】
前記餌の最下境界が、前記底部末端から少なくとも１センチメートルオフセットされた、請求項１に記載のデバイス。
【請求項５】
前記餌が、前記ポケットによって、前記底部末端から少なくとも１インチオフセットされた、請求項１に記載のデバイス。
【請求項６】
前記餌容器が、前記上開口の反対側に下開口を画定する管状ボディを含み、
前記容器が、前記ボディの前記下開口の中に受け取られて前記ポケットを少なくとも部分的に画定する有害生物アクセス配置物を含み、
前記餌がシロアリに対して毒性の殺虫剤を含む、
請求項１に記載のデバイス。
【請求項７】
前記底部末端が前記有害生物アクセス配置物によって画定され、前記有害生物アクセス配置物が、栓と、シロアリが通り抜けるようにサイズが決められたいくつかの開口を画定する仕切りとを含み、
前記仕切りが前記栓と前記餌の間に配置され、
前記栓が、最初のうち、水分に対する初期のバリヤを画定するために、前記１つまたは複数の開口をその下のシロアリから閉鎖し、前記仕切りの前記１つまたは複数の開口に到達するために、シロアリが、前記バリヤを貫通する１つまたは複数の通路を形成することを可能にするように前記栓が構築され、
前記１つまたは複数の通路を通過したシロアリを前記餌の下方に集めるための、前記仕切りの前記１つまたは複数の開口と交わる別の室を画定するために、前記栓が、前記仕切りから間隔を置いて配置された、
請求項６に記載のデバイス。
【請求項８】
前記有害生物アクセス配置物がさらにフィッティングを含み、
前記フィッティングが、前記仕切りと、下方へ延びる１つまたは複数の側壁とを含み、
前記栓が、前記フィッティングに係合され、前記１つまたは複数の側壁と接触し、
前記餌容器が、下開口を画定するボディを含み、
前記フィッティングが、前記ボディの前記下開口を通して受け取られ、
前記クロージャが、前記餌容器を手で移動させるように構築されたハンドル突出部を含み、前記上開口を再密閉可能に閉じるために前記ボディにねじ付けられたキャップの形態をとる、
請求項７に記載のデバイス。
【請求項９】
前記室内に配置されたシロアリセンサをさらに備える、請求項１に記載のデバイス。
【請求項１０】
前記シロアリセンサが、前記クロージャが開いているときに前記上開口を通してアクセス可能な回路ハウジングと、前記室内の前記回路ハウジングから下方へ延びるセンシング基板とを含む、請求項９に記載のデバイス。
【請求項１１】
下端部の反対側に上端部を含む餌容器を備え、前記餌容器が、１種または数種のシロアリに対して毒性の殺虫剤を含む餌を含む室を画定し、前記下端部が、前記餌の少なくとも一部分の下方に配置され、前記餌へのシロアリのアクセスを可能にするように構築された有害生物アクセス配置物を含み、前記下端部が、前記餌容器が選択された向きに設置されたときに、前記有害生物アクセス配置物を通した水の侵入を低減させるために空気を閉じ込めるポケットを画定する有害生物防除デバイス。
【請求項１２】
シロアリが通り抜けることを容易にするために、前記有害生物アクセス配置物が、前記餌の下方に１つまたは複数の開口を含む、請求項１１に記載のデバイス。
【請求項１３】
前記有害生物アクセス配置物が、シロアリの嗜好に合った材料からなる栓と、シロアリが通り抜けるようにサイズが決められたいくつかの開口を画定する仕切りとを含み、前記仕切りが前記栓と前記餌の間に配置された、請求項１１に記載のデバイス。
【請求項１４】
前記栓が、最初のうち、水分に対する初期のバリヤを画定するために、前記仕切りの前記開口をその下のシロアリから閉鎖し、さらに、前記１つまたは複数の開口に到達するために、シロアリが、前記バリヤを貫通する１つまたは複数の通路を形成することを可能にするように前記栓が構築され、
前記１つまたは複数の通路を通過して前記仕切りに到達したシロアリを集めるための下室を画定するために、前記栓が、前記仕切りから間隔を置いて配置された、
請求項１３に記載のデバイス。
【請求項１５】
前記シロアリアクセス可能構造がさらにフィッティングを含み、
前記栓が、前記フィッティングに係合され、
前記フィッティングが前記仕切りを含み、
前記餌容器が、下開口を画定するボディを含み、
前記フィッティングが、前記下開口を通して受け取られ、
前記開口、前記下室および前記１つまたは複数の通路が前記ポケットを少なくとも部分的に構成する、
請求項１４に記載のデバイス。
【請求項１６】
前記仕切りと前記餌の間に配置されたコルク部材をさらに備え、前記栓を貫通して前記仕切りに達する前記１つまたは複数の通路をシロアリが形成するための案内経路を提供するために、前記フィッティングが、前記栓の表面と境界を接する１つまたは複数の溝を画定し、前記栓がセルロースを含み、前記フィッティングが、ねじ込みによって前記下開口の中に固定された、請求項１５に記載のデバイス。
【請求項１７】
前記室内に配置されたシロアリセンサをさらに備える、請求項１１に記載のデバイス。
【請求項１８】
地中に設置するように構築されたハウジングをさらに備え、前記ハウジングが、その中に餌容器を受け取る通路を画定し、前記上端部の上開口を気密シールによって閉じるために、前記上端部がクロージャ内で終わる、請求項１１に記載のデバイス。
【請求項１９】
前記餌容器が、前記上開口の反対側に下開口を画定する管状ボディと、少なくとも前記下開口まで延びる前記餌を取り囲む気密境界を提供する手段とを含み、
前記餌が、前記餌容器の縦軸に沿って、前記下開口から少なくとも１センチメートル後退した、
請求項１８に記載のデバイス。
【請求項２０】
少なくとも部分的に地中に設置されるように構築されたハウジングであり、アクセス開口を備える内部空間と、地下においてシロアリが前記内部空間内へ通過することを可能にする１つまたは複数の開口とを画定するハウジングと、
前記アクセス開口を通して前記ハウジングの前記内部空間内に受け取られるようにサイズおよび形状が決められた餌容器であり、下端部の反対側に上端部を含み、シロアリの餌を含む室を画定し、前記下端部を前記上端部よりも下にして前記ハウジング内に設置されたときに前記下端部を通した水の侵入を低減させるために、前記下端部が、前記餌の少なくとも一部分の下方に空気閉じ込めポケットを画定する餌容器と
を備える有害生物防除システム。
【請求項２１】
前記ポケットが、前記餌容器の底部末端から前記餌を少なくとも１インチ分離する、請求項２０に記載の有害生物防除システム。
【請求項２２】
前記餌容器が、前記ポケットを少なくとも部分的に画定するために前記餌の下方に配置された有害生物アクセス配置物を含み、前記有害生物アクセス配置物が、
前記有害生物アクセス配置物を貫通する前記餌に到達するための１つまたは複数の通路を形成するために、前記シロアリが除去することができる材料と、
前記下端部の底部末端と前記餌の間に延びる少なくとも１つの通過路
のうちの少なくとも一方を含む、請求項２０に記載の有害生物防除システム。
【請求項２３】
前記餌が、１種または数種のシロアリに対して毒性の殺虫剤を含む、請求項２０に記載の有害生物防除システム。
【請求項２４】
前記下端部が有害生物アクセス配置物を含み、前記有害生物アクセス配置物が、栓と、シロアリが通り抜けるようにサイズが決められたいくつかの開口を画定する仕切りとを含み、
前記仕切りが前記栓と前記餌の間に配置され、
前記栓が、最初のうち、水分に対する初期のバリヤを提供するために、前記１つまたは複数の開口を前記シロアリに対して閉鎖し、シロアリが、前記バリヤを貫通して前記仕切りの前記１つまたは複数の開口のそれぞれの開口へ達する１つまたは複数の通路を形成することを可能にするように前記栓が構築され、
前記１つまたは複数の通路を通過して前記仕切りに到達した１種または数種のシロアリを集めるための別の室を画定するために、前記栓が、前記仕切りから間隔を置いて配置された、
請求項２０に記載の有害生物防除システム。
【請求項２５】
前記シロアリアクセス可能構造がさらにフィッティングを含み、
前記栓が、前記フィッティングに係合され、
前記フィッティングが前記仕切りを含み、
前記餌容器が、下開口を画定するボディを含み、
前記フィッティングが、前記下開口を通して受け取られる、
請求項２４に記載の有害生物防除システム。
【請求項２６】
前記室内に配置されたシロアリセンサをさらに備える、請求項２０に記載の有害生物防除システム。
【請求項２７】
前記シロアリセンサが、前記上端部によって画定される前記上開口を通してアクセス可能な回路ハウジングと、前記室内の前記回路ハウジングから下方へ延びるセンシング基板とを含む、請求項２６に記載の有害生物防除システム。
【請求項２８】
前記上端部が、前記室にアクセスするための上開口を画定し、前記開口を気密シールによって選択的に閉じる餌容器クロージャを含み、
前記ハウジングが、前記内部空間内への前記アクセス開口を選択的に閉じるように構築されたハウジングクロージャを含む、
請求項２０に記載の有害生物防除システム。
【請求項２９】
下端部の反対側に上端部を含み、前記下端部と前記上端部の間に延びる室を画定する餌容器であり、前記室がシロアリの餌を含み、前記下端部が、前記餌の少なくとも一部分の下方に空気閉じ込めポケットを画定する餌容器を用意すること、
前記餌容器を設置する位置を選択すること、および
前記位置において、前記下端部が前記上端部に比べて地面からより下方に配置されるように、前記餌容器を少なくとも部分的に地中に設置すること
を含む方法。
【請求項３０】
前記餌容器を設置した後に地中の水位が前記下端部に達した場合に、前記餌に水が到達することを防ぐために前記ポケット内に空気を閉じ込めることを含む、請求項２９に記載の方法。
【請求項３１】
前記地中位置を選択した後に、前記餌容器を設置することが、
内部空間内へのアクセス通過路開口と、地下におけるシロアリの進入を容易にする前記内部空間と交わる複数の地下通路とを含むハウジングを前記地中位置に挿入すること、および
前記内部空間内に載置されたときに前記下端部が前記上端部に対して下を向くように、前記餌容器を前記内部空間内に置くこと
を含む、請求項２９に記載の方法。
【請求項３２】
前記室内に置かれたセンサによってシロアリの存在を検出することを含む、請求項３１に記載の方法。
【請求項３３】
前記餌がシロアリに対して毒性の殺虫剤を含み、前記下端部が、栓と仕切りとを有する有害生物アクセス配置物を含み、前記仕切りが、シロアリが通り抜けるようにサイズが決められたいくつかの開口を画定し、前記仕切りが前記栓と前記餌の間に配置され、前記有害生物アクセス配置物が、最初のうち、前記仕切りの下方からの水分およびシロアリの通過に対するバリヤを画定し、前記方法がさらに、
前記仕切りに到達するために、シロアリが、前記バリヤを貫通する１つまたは複数の通路を形成するのを容易にすること
をさらに含み、
前記１つまたは複数の通路を通過したシロアリを集めるための下室を画定するために、前記栓が、前記仕切りから間隔を置いて配置される、
請求項２９に記載の方法。
【請求項３４】
前記開口、前記１つまたは複数の通路および前記下室によって前記ポケットを少なくとも部分的に画定することを含む、請求項３３に記載のデバイス。
【請求項３５】
前記上端部に担持された再密閉可能なクロージャを取り外すことによって、前記室にアクセスすることを含む、請求項２９に記載の方法。
【請求項３６】
下端部の反対側に上端部を含み、前記下端部と前記上端部の間に延びる室を画定する餌容器を備え、前記室が、シロアリを引き付ける餌を含み、前記下端部が、前記下端部を通した前記室内の前記餌へのシロアリのアクセスを上方へ誘導する手段を含み、前記餌容器が、前記下端部を前記上端部よりも下にして前記餌容器が地中に設置され、地中の水位が前記下端部の前記誘導手段に達したときに、前記誘導手段を通した水の侵入を低減させるために空気を閉じ込める手段を含む装置。
【請求項３７】
シロアリの存在を感知する手段をさらに備える、請求項３６に記載の装置。
【請求項３８】
前記上端部が、前記室にアクセスする手段を含む、請求項３６に記載の装置。
【請求項３９】
シロアリセンサと、
下端部の反対側に上端部を含む餌と
を備え、
前記餌容器が、シロアリの餌と前記シロアリセンサの少なくとも一部分とを含む室を画定し、選択された向きに、少なくとも部分的に地中に設置されたときに、前記下端部を通した水の侵入を低減させるために、前記下端部が、前記餌の少なくとも一部分の下方に空気閉じ込めポケットを画定する
有害生物防除デバイス。
【請求項４０】
前記ポケットが、前記下端部の底部末端から前記餌を少なくとも１インチ分離する、請求項３９に記載の有害生物防除システム。
【請求項４１】
前記餌容器が、前記室内の前記餌の下方に配置された有害生物アクセス配置物を含み、前記有害生物アクセス配置物が、
前記底部末端と前記餌の間に１つまたは複数の通路を形成するために、シロアリが除去することができる材料と、
前記底部末端と前記餌の間に延びる少なくとも１つの通過路
のうちの少なくとも一方を含む、請求項３９に記載の有害生物防除システム。
【請求項４２】
前記餌が、１種または数種のシロアリに対して毒性の殺虫剤を含む、請求項３９に記載のデバイス。
【請求項４３】
前記下端部が有害生物アクセス配置物を含み、前記有害生物アクセス配置物が、栓と、シロアリが通り抜けるようにサイズが決められたいくつかの開口を画定する仕切りとを含み、
前記仕切りが前記栓と前記餌の間に配置され、
前記栓が、最初のうち、前記仕切りの下方の水分およびシロアリに対するバリヤを提供し、前記仕切りに到達するために、シロアリが、前記バリヤを貫通する１つまたは複数の通路をシロアリが形成することを可能にするように前記栓が構築され、
前記１つまたは複数の通路を通過したシロアリを集めるための下室を画定するために、前記栓が、前記仕切りから間隔を置いて配置された、
請求項３９に記載のデバイス。
【請求項４４】
前記シロアリアクセス可能構造がさらにフィッティングを含み、
前記栓が、前記フィッティングに係合され、
前記フィッティングが前記仕切りを含み、
前記餌容器が、下開口を画定するボディを含み、
前記フィッティングが、前記下開口を通して受け取られる、
請求項４３に記載のデバイス。
【請求項４５】
前記シロアリセンサが、回路ハウジングと、前記室内の前記回路ハウジングから下方へ延びるセンシング基板とを含む、請求項３９に記載のデバイス。
【請求項４６】
前記上端部が、前記回路ハウジングにアクセスするための上開口を画定し、選択的に前記上開口を開き、気密シールによって前記上開口を閉じるクロージャを含む、請求項４５に記載のデバイス。
【請求項４７】
シロアリが除去することができるシロアリの嗜好に合った材料からなる栓と、
貫通するいくつかの開口を画定する上部材と、前記栓を受け取るために前記上部材から下方へ延びる１つまたは複数の側壁とを含むフィッティングであり、前記開口と交わるシロアリ集合室を画定するために、前記栓が、前記フィッティング内の前記上部材の下方に間隔を置いて配置され、前記室に向かってシロアリを誘導するために、前記１つまたは複数の側壁が、前記栓の表面と境界を接する１つまたは複数の溝を画定するフィッティングと
を含む有害生物アクセス配置物を備える有害生物防除デバイス。
【請求項４８】
前記１つまたは複数の溝が、前記室に達する前に終わる、請求項４７に記載のデバイス。
【請求項４９】
下開口を画定する餌容器ボディをさらに備え、前記有害生物アクセス配置物が前記下開口内に受け取られ、前記餌容器が、前記有害生物アクセス配置物の上方に配置されたシロアリの餌を含む餌室を含む、請求項４７に記載のデバイス。
【請求項５０】
前記餌容器ボディと前記有害生物アクセス配置物が協力して、前記デバイスが、選択された向きに、少なくとも部分的に地中に設置され、地中の水位が前記有害生物アクセス配置物に達したときに空気を閉じ込めるポケットを画定する、請求項４９に記載のデバイス。
【請求項５１】
前記餌の下方、前記餌容器ボディ内の前記シロアリフィッティングの前記上部材の上方に配置された、シロアリが除去することができる材料からなるバリヤをさらに備える、請求項５０に記載のデバイス。
【請求項５２】
前記フィッティングがおねじを画定し、前記餌容器ボディが、前記おねじによって係合されるめねじを画定する下端部を含み、前記バリヤがセルロースからなる、請求項５１に記載のデバイス。
【請求項５３】
前記餌容器ボディの前記上端部に係合された再密閉可能なクロージャをさらに備える、請求項５２に記載のデバイス。
【請求項５４】
前記室内に配置されたシロアリセンサをさらに備える、請求項５０に記載のデバイス。
【請求項５５】
前記シロアリの餌がシロアリに対して毒性の殺虫剤を含む、請求項５０に記載のデバイス。
【発明の詳細な説明】
【技術分野】
【０００１】
適用可能な条約に基づき、本出願は、その全体が参照によって本明細書に組み込まれる２００７年７月２６日出願の米国特許出願第６０／９６２，０２４号の外国優先権を主張する。
【０００２】
本出願は有害生物の防除に関し、より詳細には、限定はされないが、有害生物防除デバイスに含まれる餌物質の嗜好性を維持する技法に関する。
【背景技術】
【０００３】
人間、家畜および作物によって占有された地域から有害生物を除去することは長く難問であった。しばしば問題となる有害生物にはさまざまな種類の昆虫および齧歯類が含まれる。地下シロアリ（subterranean termite）は、木造構造物に深刻な損傷を与える潜在能力を有する特に厄介な種類の有害生物である。シロアリや、昆虫種と非昆虫種の両方の他のある種の有害生物を排除するさまざまな方式が提案されている。１つの方法では、有害生物防除が、防護対象地域における化学殺虫剤（chemical pesticide）の全面散布に依存する。しかしながら、より効率的とすることができ、かつより環境にやさしくなりうる標的化合物殺虫剤送達（targeted pesticide delivery）の方が、この方法よりも望ましくなりつつある。
【０００４】
最近、化学殺虫剤の標的送達に資するいくつかの進歩が見られた。Ｓｕの米国特許第５，８１５，０９０号はその一例である。シロアリ防除を対象とする他の例が、９３３０  Ｚｉｏｎｓｖｉｌｌｅ  Ｒｏａｄ，Ｉｎｄｉａｎａｐｏｌｉｓ，ＩＮを会社所在地とするＤｏｗ  ＡｇｒｏＳｃｉｅｎｃｅｓ社の「ＳＥＮＴＲＩＣＯＮ  ＴＥＲＭＩＴＥ  ＣＯＬＯＮＹ  ＥＬＩＭＩＮＡＴＩＯＮ  ＳＹＳＴＥＭ（商標）」である。このシステムでは、シロアリが食べることができる物質をそれぞれが有するいくつかのユニットを、防護すべき住宅の周囲の地中に埋める。有害生物防除サービス業者がそれらのユニットにシロアリがいるかどうかを日常的に調べ、それぞれのユニットに関連付けられた固有のバーコードラベルを参照して調査データを記録する。所与のユニットでシロアリが見つかった場合には、シロアリの巣へ運ばれてコロニーを根絶やしにすることが意図された遅効性殺虫剤を含む餌が設置される。米国特許第６，７２４，３１２号、７，２１２，１１２号および７，２１２，１２９号、ならびに米国特許出願公開第２００１／００３３２３０号および２００１／００５４９６２号は別の例を提供している。
【発明の概要】
【発明が解決しようとする課題】
【０００５】
ある種の場合、水分にさらされると餌は劣化し、これにより、標的有害生物を引き付ける餌の力が徐々に低下することがあり、時には関連センサ（存在する場合）の誤動作が生じる。餌の嗜好性をより長期にわたって維持し、かつ／また水分の侵入を制御することが望ましいことがしばしばある。したがって、この技術分野におけるさらなる貢献が求められている。
【課題を解決するための手段】
【０００６】
本出願の一実施形態は新規の有害生物防除技法である。他の実施形態は、水分の侵入などから地中の餌を守る新規の装置、システム、方法およびデバイスを含む。他の実施形態、形態、目的、特徴、利点、態様および利益は、以下の説明および図面から明らかになる。
【図面の簡単な説明】
【０００７】
【図１】いくつかの有害生物防除デバイスを含む本出願に基づく有害生物防除システムの概略図である。
【図２】動作中の図１のシステムの選択された態様を示す追加の図である。
【図３】１つの有害生物防御デバイスの有害生物監視アセンブリの部分分解断面図である。
【図４】図３のビュープレーン（view plane）に垂直なビュープレーンに沿って見た、図３の有害生物監視アセンブリの部分分解断面図である。
【図５】図３および４に示された有害生物監視アセンブリの通信回路サブアセンブリの一部分の部分上面図である。
【図６】図３の有害生物監視アセンブリを含む１つの有害生物防除デバイスの餌容器の分解図である。
【図７】図６の有害生物防除デバイスの有害生物アクセス配置物の分解図である。
【図８】図７のビューライン（view line）８−８に沿って見た、有害生物アクセス配置物に含まれるフィッティングの下面図である。
【図９】図７のビューライン９−９に沿って見た、有害生物アクセス配置物に含まれるフィッティングの上面図である。
【図１０】餌容器の概略破断図を含み、１つの有害生物防除デバイスの地面に設置可能なハウジングをさらに示す、図６の有害生物防除デバイスアセンブリの分解透視図である。
【図１１】図１０のアセンブリの部分断面／部分破断概略側面図である。
【図１２】図１１の断面線１２−１２に沿って見た概略断面図である。
【図１３】図１１の有害生物防除デバイスに含まれる通信回路および図１および２に示された質問機に含まれる通信回路の概略図である。
【図１４】部分破断図を含む、別の有害生物防除デバイスの透視図である。
【図１５】部分破断図を含む、別の有害生物防除デバイスの透視図である。
【図１６】部分破断図を含む、別の有害生物防除デバイスの透視図である。
【図１７】水分試験の実験データの例示的な棒グラフである。
【図１８】水分試験の実験データの例示的な棒グラフである。
【図１９】水分試験の実験データの例示的な棒グラフである。
【図２０】水分試験の実験データの例示的な棒グラフである。
【発明を実施するための形態】
【０００８】
次に、本発明の原理の理解を促進するため、図面に示された実施形態を参照する。これらの実施形態を記述するために具体的な用語が使用される。とは言え、それらの用語によって本発明の範囲を限定する意図はないことが理解されるであろう。記載された実施形態の一切の改変および他の変更、ならびに本明細書に記載された本発明の原理の他の一切の用途は、当業者が普通に思い付くものであることが予期される。
【０００９】
本出願の一実施形態は、地中に設置されたときに不必要な水の侵入によって引き起こされる餌の損傷を低減させるように構築された有害生物防除デバイスである。一形態では、この有害生物防除デバイスが、標的有害生物がアクセスする下入口点と、この入口点とその上方に配置された餌との間に空気を閉じ込めるポケットとを画定する餌容器である。この空気閉じ込めポケットは餌に水が到達することを防ぐ。この容器は、予め地中に設置しておいた地中ハウジングの空洞内に置いてもよく、またはこのようなハウジングなしで使用してもよい。あるいはまたは加えて、この容器は、有害生物の存在を検出するセンサを含むことができる。図１〜１３の有害生物防除システム２０はこのような実施態様の他の例を提供する。
【００１０】
図１は、有害生物防除システム２０を示す。システム２０は、地下シロアリなどの有害生物による損傷から建築物２２を防護するように配置されている。システム２０は、建築物２２の周囲に配置されたいくつかの有害生物防除デバイス１１０を含む。図１では、明瞭さを保つために、いくつかのデバイス１１０だけが参照符号によって明示されている。システム２０はさらに、デバイス１１０についての情報を集める可搬式の質問機（interrogator）３０を含む。質問機３０によってデバイス１１０から集められたデータは、通信インタフェース４１を介してデータ収集ユニット（ＤＣＵ）４０に集められる。他の実施態様では、ＤＣＵ４０が存在しなくてもよく、またはＤＣＵ４０を単に任意で利用することができ、その代わりに質問機３０を端末データ収集機器として使用する。
【００１１】
加えて図２を参照すると、システム２０の動作のある種の態様が示されている。図２には、少なくとも部分的に地面Ｇよりも下に位置する有害生物防除デバイス１１０に質問する質問機３０を操作している有害生物防除サービスの提供業者Ｐが示されており、この質問は、質問機３０とデバイス１１０の間の電気的接触を必要としない後により詳細に説明する無線通信技法を使用して実施される。この例では、設置されたデバイス１１０との無線通信を確立するために地面Ｇの上で掃くように動かすのに都合がよい手持ち式の質問機３０が示されている。この無接触技法の代わりにまたはこの技法に加えて、データを集めるため、質問機３０が、それぞれのデバイス１１０と電気的におよび／または機械的に接触してもよい。他の実施形態では、質問機３０の代わりにまたは質問機３０に加えて、デバイス１１０に固定された視覚および／または聴覚インジケータを使用するなど別の方式で、それぞれの有害生物防除デバイス１１０に関する情報を報告することができる。
【００１２】
図３〜１２は、有害生物防除デバイス１１０のさまざまな特徴を示す。有害生物を検出し、殺虫剤を施用するため、有害生物防除デバイス１１０は内部的に、図６〜１２に関してさらに説明する餌容器内に組み付けるように構築された有害生物監視アセンブリ１１２を備えるように構成されている。図３および４をより詳細に参照すると、有害生物監視アセンブリ１１２が、中心線組立て軸Ａに沿って部分的に示されている。軸Ａは、図３および４の両方のビュープレーンと一致する。図４のビュープレーンは図３のビュープレーンに対して垂直である。
【００１３】
有害生物監視アセンブリ１１２は、軸Ａに沿って通信回路サブアセンブリ１１６の下方にセンササブアセンブリ１１４を含む。センササブアセンブリ１１４はセンサ１５０を含む。センサ１５０は餌と接触するように構築され、これについては図１０〜１２に関して後により詳細に説明するが、先に、センサ１５０の若干の詳細を以下で説明する。センサ１５０は全体に細長く、例えば図３および４に示されているように端部１５２ｂの反対側に端部１５２ａを有する。図３および４では、センサ１５０の中間部分が、部分１５２ａと１５２ｂを分離する一対の隣接する破断線によって表されている。センサ１５０はセンシング基板１５１を含む。基板１５１は、図４の分解図に示された導電性ループないし経路１５４の形態のセンシング素子１５３ａを提供するように配置された導体１５３を担持する。図４の破断線によって表された中間センサ部分に沿って、経路１５４の２つのセグメントは、概ねまっすぐな平行経路（図示せず）に沿って続き、それに対応して、端部１５２ａの縁の接触パッド３２で終わる。電気絶縁フィルム３４が、端部１５２ａに沿ったそれぞれのセグメントの一部分を覆う。フィルムで覆われたセグメント部分は破線で示されている。フィルム３４によって覆われたセグメントとセグメントの間に基板１５１を貫通する開口部３６が形成されており、開口部３６は、製造および／またはハンドリングのために使用することができる。これらのセグメントは端部１５２ｂで互いに接合して経路１５４を形成し、導電性ループを完成させる。
【００１４】
基板１５１および／または導体１５３は、有害生物監視アセンブリ１１２によって監視されている有害生物による消費または排除（displacement）の影響を受けやすい１種または数種の材料からなる。これらの材料は、関心の１種または数種の有害生物種にとっての食物物質、非食物物質、または食物物質と非食物物質の組合せとすることができる。実際、非食物物質からなる材料は、隣接する可食物質をシロアリが消費する間に容易に排除されることが分かっている。基板１５１または導体１５３が消費されまたは排除されると、ついには経路１５４が改変される。後により詳細に説明するように経路１５４の対応する１つまたは複数の電気特性を監視することにより、この改変を利用して有害生物の存在を指示することができる。あるいは、餌部材１３２に対して、基板１５１および／または導体１５３を、餌部材１３２のある程度の消費または排除が、経路１５４の導電率を検出可能に変化させるのに十分な機械力を発揮するような向きに向けることもできる。この代替実施形態では、基板１５１および／または導体１５３が関心の有害生物によって直接に消費されまたは排除される必要はない。
【００１５】
地下シロアリを対象とする一実施形態では、基板１５１が、シロアリによって消費され、排除され、または他の態様で除去されるセルロース材料から形成される。具体的な一例は、ポリエチレンなどのポリマー材料でコーティングされた紙を含む。とは言え、他の実施形態では、基板１５１が、シロアリおよび／または他の関心の有害生物を標的とするさまざまな材料からなることができる。
【００１６】
一形態では、導体１５３が、炭素含有インク化合物などの炭素ベースの導電材料によって提供される。このようなインクの１つの供給会社は、１６００  Ｗａｓｈｉｎｇｔｏｎ  Ａｖｅ．，Ｐｏｒｔ  Ｈｕｒｏｎ、Ｍｉｃｈｉｇａｎ  ４８０６０を会社所在地とするＡｃｈｅｓｏｎ  Ｃｏｌｌｏｉｄｓ  Ｃｏｍｐａｎｙ社である。導体１５３を構成する炭素含有導電インクは、シルクスクリーン印刷、パッド印刷またはインクジェット分配技法、あるいは当業者なら思い付くであろう他の同様の技法を使用して基板１５１上に付着させることができる。一般的に選択される金属導体と比較して、炭素ベースの導体はより高い電気抵抗率を有することができる。炭素含有インク化合物の体積抵抗率は約０．００１オームｃｍ（オームセンチメートル）以上であることが好ましい。より好ましい実施形態では、炭素含有材料からなる導体１５３の体積抵抗率が０．１オームｃｍ以上である。より好ましい実施形態では、炭素含有材料からなる導体１５３の体積抵抗率が約１０オームｃｍ以上である。他の実施形態では、導体１５３が、当業者なら考え付くであろう別の組成物または別の体積抵抗率を有することができる。
【００１７】
有害生物監視アセンブリ１１２はさらに、センササブアセンブリ１１４に取外し可能に接続可能な回路サブアセンブリ１１６を含む。回路サブアセンブリ１１６は、センササブアセンブリ１１４の経路１５４の１つまたは複数の電気特性の変化によって示される有害生物の活動を検出し、伝達するように配置されている。回路サブアセンブリ１１６は、通信回路１６０の回路エンクロージャ１１８と、通信回路１６０をセンササブアセンブリ１１４のセンサ１５０に離脱可能に結合する一対の接続部材１４０とを含む。エンクロージャ１１８は、軸Ａを中心とした概ね円形の外周をそれぞれが有するカバーピース１２０、Ｏリング１２４およびベース１３０を含む。図４には、図３よりも完全に組み立てられたエンクロージャ１１８が示されている。カバーピース１２０は空洞１２２を画定する。ベース１３０は、Ｏリング１２４を受け取るようにサイズが決められた溝１３１（破線で示されている）を画定する（図４参照）。Ｏリング１２４の代わりに、またはＯリング１２４に加えて、ヒートシールを使用することができる。
【００１８】
通信回路１６０は、カバーピース１２０とベース１３０の間に配置される。通信回路１６０は、コイルアンテナ１６２と、回路構成要素１６６を担持したプリント配線板１６４とを含む。さらに図５を参照すると、ベース１３０、接続部材１４０および無線通信回路１６０からなるアセンブリの上面図が示されている。図５では、軸Ａがビュープレーンに対して垂直であり、同じ符号が付けられた十字線によって表されている。ベース１３０は、プリント配線板１６４を貫通する取付け穴と係合する柱１３２を含む。ベース１３０はさらに、一体に組み立てられたときにコイルアンテナ１６２と係合し、コイルアンテナ１６２を、ベース１３０およびプリント配線板１６４に対して固定された状態に維持するマウント１３４を含む。ベース１３０はさらに、図４に最もよく示されているように自体を貫通する開口１３７をそれぞれが画定する４つの支持体１３６を含む。ベース１３０は、支持体１３６の隣接する対間の中心に位置する突起１３８を有するように成形されている。突起１３８は凹み１３９（図３に破線で示されている）を画定する。
【００１９】
図３〜５を全般的に参照すると、接続部材１４０はそれぞれ一対の接続ナブ（nub）１４６を含む。ナブ１４６はそれぞれ、それぞれの接続部材１４０の反対側の端部から延びる頸部１４７および頭部１４５を有する。それぞれの接続部材１４０には、対応する一対のナブ１４６間に突起１４８が配置される。突起１４８は凹み１４９を画定する。接続部材１４０は導電性エラストマー材料から形成される。一実施形態では、それぞれの接続部材１４０が、１３５  Ｂｒｙａｎｔ  Ｓｔｒｅｅｔ，Ｃｒａｎｆｏｒｄ，Ｎ．Ｊ．０７０１６を会社所在地とするＴＥＣＫＮＩＴ  ＵＳＡ社から販売されているｃｏｍｐｏｕｎｄ  ８６２などの炭素含有シリコーンゴムから製造される。とは言え、他の実施形態では、別の組成物を使用することができる。
【００２０】
それぞれの接続部材１４０をベース１３０に組み付けるため、対応する一対のナブ１４６が、それぞれの支持体１３６の一対の開口１３７に挿入され、突起１４８が凹み１３９の中へ延びる。それぞれのナブ１４６の頭部１４５は、頭部１４５が通るそれぞれの開口１３７よりもわずかに大きくなるようにサイズが決められる。その結果、挿入の間、頭部１４５は、それぞれの開口１３７を完全に通過するまで弾性的に変形する。開口１３７を通過すると頭部１４５は元の形状に戻り、頸部１４７が開口の縁としっかりと係合する。図５に示されているように、組み立てられた後、プリント配線板１６４は、それぞれの接続部材１４０の一方のナブ１４６と接触する。
【００２１】
接続部材１４０がベース１３０に組み付けられた後、溝１３１の中にＯリング１２４が担持された状態でベース１３０をカバーピース１２０に接続することによって、エンクロージャ１１８が組み付けられる。水分の侵入および／または他の外来作用物質を低減させるため、得られた構造の内側にポッティング化合物を使用することができる。さらに、前述のとおり、Ｏリング１２４／溝１３１構造に加えて、またはＯリング１２４／溝１３１構造の代わりに、ヒートシーリング技法を使用することができる。通信回路サブアセンブリ１１６が組み立てられた後、ベース１３０によって担持されたそれぞれの接続部材１４０の凹み１４９に端部１５２ａをアサートすることにより、サブアセンブリ１１６にセンサ１５０が組み付けられる。センサ１５０を接続部材１４０と接触した状態にしっかりと保持するために、接続部材１４０によって端部１５２ａにバイアス力が加えられるように、接続部材１４０は、凹み１４９に端部１５２ａを挿入することによりわずかに弾性変形するようにサイズが決定される。接続部材１４０に端部１５２ａが挿入されると、パッド３２がそれぞれ、別の１つの接続部材１４０と電気的に接触する。それにより、プリント配線板１６４と接触したそれぞれのナブ１４６が、経路１５４をプリント配線板１６４に電気的に結合する。
【００２２】
図６は、サブアセンブリ１１４および１１６から得られたアセンブリを、有害生物防除デバイス１１０のより高次の組立て段階の分解図の部分として示す。図６では、有害生物監視アセンブリ１１２があるいはセンシングアセンブリ１１９と呼ばれ、集合的に、サブアセンブリ１１４と１１６を組み立てた形態を表す。組立て後、センシングアセンブリ１１９は、ユニットとして設置および他のハンドリングを容易にするように構築されている。図６はさらに、完全に組み立てられたときにセンシングアセンブリ１１９を含む餌容器２００を、分解された形で示す。餌容器２００はさらに、下端部２０６の反対側に上端部２０４を有する管状ボディ２０２を含む。後により詳細に説明するように餌を受け取る内部空間２１０を画定するため、ボディ２０２は中空である。上端部２０４は、内部空間２１０と交わる上開口２１４を画定し、下端部は、やはり内部空間２１０と交わる下開口２１６を画定する。したがって、開口２１４と開口２１６は互いに流体連通している。上端部は、開口２１４の周囲にらせん形のおねじ２１５を画定し、下端部は、開口２１６の周囲にらせん形のめねじ２１７を画定する。
【００２３】
センシングアセンブリ１１９は、上開口２１４を通して容器２００の内部空間２１０に受け取られるようにサイズおよび形状が決められる。上端部は、アセンブリ１１９が内部空間２１０内に置かれたときに、アセンブリ１１９のエンクロージャ１１８がそれに載り、基板１５１が内部空間２１０内で下方に吊り下がる（図１１および図１２も参照されたい）ように構築された座２１８を提供するレッジ（ledge）を画定する。餌容器２００（および対応する有害生物防除デバイス１１０）はさらに、キャップ９１の形態のクロージャ９０を含む。クロージャ９０は、ボディ２０２の上端部２０４のおねじ２１５と係合するように構築されためねじ９２を含む。キャップ９１は、後にさらに説明するように、餌容器２００を運搬し、または他の方法で操作するために手またはあるタイプの引抜き工具によってつかむように構築されたハンドル９４を含む。クロージャ９０は、上端部２０４にねじ付け、気密シールを提供するように、上端部２０４に対して選択的に回転させることができる。この状態が図１０および１１に示されている。したがって、室２０２にアセンブリ１１９を挿入した後にクロージャ９０を上端部２０４と係合させることができ、同様に、希望に応じてアセンブリ１１９にアクセスするためにクロージャ９０を取り外すことができる。
【００２４】
餌容器２００はさらに、下開口２１６を通して室２０２にぴったりとはまって下座２２０と係合するように形状およびサイズが決められた水分バリヤ２３０を含む。一形態では、バリヤ２３０が、コルクまたは木のシートからなる円板である。他の実施形態では、バリヤ２３０が別の材料からなることができ、かつ／またはバリヤ２３０がなくてもよい。バリヤ２３０は、ボディ２０２の内部空間２１０を分割して、図１０〜１２に示されているボディ２０２内の餌含有室２４０の下境界２７８を画定する。
【００２５】
バリヤ２３０は、有害生物アクセス配置物（pest access arrangement）２５０によってその場に保持される。有害生物アクセス配置物２５０は、フィッティング（fitting）２５２と、フィッティング２５２によって担持されたシロアリの嗜好に合った栓２５４とを含む。図６〜９を特に参照すると、フィッティング２５２は、いくつかの貫通開口２５８を画定する仕切り２５６を含む。摩擦ばめによっておよび／またはコネクタ、接着剤などの助けを借りて栓２５４をフィッティング２５２内に捕捉するため、フィッティング２５２は、仕切り２５６から下方へ延びる側壁２６０を含む。側壁２６０はそれぞれ、仕切り２５６の下方の選択されたある距離のところで終わる溝（groove or channel）２６２を画定する。栓２５４がフィッティング２５２に組み付けられると、栓２５４は側壁２６０と接触し、その結果、側壁２６０が、後にさらに説明するようにシロアリを誘導する案内路を提供する溝２６２の境界を形成する。仕切り２５６と栓２５４の間に図７および１０に示されているようなシロアリ集合室ギャップｇを形成するため、フィッティング２５２は、栓２５４を仕切り２５６から離隔した状態に維持する内部レッジを有するように構築される。これに対応して、図７、１および１１に示されているように、仕切り２５６の下方、栓２５４の上方に下室２７０が画定される。好ましい一実施形態では、ギャップｇが５ミリメートル（ｍｍ）未満である。より好ましい実施形態では、ギャップｇが約３ｍｍ未満、約１ｍｍ超である。より好ましい形態では、ギャップｇが約２ｍｍである。とは言え、他の実施形態では、ギャップｇがなくてもよく、または異なる寸法を有してもよい。
【００２６】
フィッティング２５２は、下端部２０６のめねじ２１７と係合するおねじ２６４を含む。栓２５４が、下方からのアクセスから開口２５８および室２７０を閉鎖しているため、開口２１６にねじ込まれると、有害生物アクセス配置物は、最初のうち、シロアリおよび水分に対するバリヤを提供する。しかしながら、栓２５４は、シロアリを引き付け、シロアリが除去することができる材料からなる。栓２５４の表面と境界を接する溝２６２は、栓２５４の上部にシロアリを誘導する経路を提供する。シロアリは栓２５４を消費しまたは排除して、図１１に概略的に示されているような栓２５４を貫通する１つまたは複数の通過路２７２を形成する。
【００２７】
室２４０は餌３１８を含む。シロアリを標的とする一形態では、餌３１８が、シロアリを引き付けるセルロースと殺虫剤とをそれぞれが含む複数のペレット３２０からなる。この形態では、餌３１８のペレット３２０が、その幾何学的中心を占め、その縦の中心線Ａを横切って広がる室３１０の形状に従う。とは言え、他の実施形態では、餌３１８が、別の種類の有害生物を標的とした別の物質からなることができ、餌３１８が、より多くのまたはより少ない片を含むことができ、餌３１８を、木材、合成セルロースブロックなどの単一の片とすることができ、餌３１８が、殺虫剤を含みまたは含まない誘引剤を含むことができ、かつ／あるいは、餌３１８を、他の異なる態様で構成することができる。
【００２８】
餌容器２００を組み立てるため、近位端部２０４からボディ２０２の内部空間２１０内にセンシングアセンブリ１１９を入れて、上座２１８と係合させる。ボディ２０２内にセンシングアセンブリ１１９を配置した後、近位端部２０４にクロージャ９０をねじ付けて、気密シールによって開口２１４を閉じる。下座２２０まで達してもよい内部空間２１０の部分を少なくとも部分的に満たすため、容器２００を逆さにして、開口２１６を通して餌３１８を装填する。一形態では、図１２に示されているように、基板１５１の両側に沿って餌３１８のペレット３２０を分配する。餌３１８がその周囲に分配されたときに基板１５１を所望の位置に維持することを助けるため、ボディ２０２は、１つまたは複数の内部スロットおよび／またはガイドフランジを含むことができる。餌３１８を装填した後、開口２１６からバリヤ２３０を入れて、下座２２０と係合させる。開口２０６に有害生物アクセス配置物２５０をねじ込んで、仕切り２５６と下座２２０の間にバリヤ２３０を捕捉する。このように組み立てると、餌容器２００は、ボディ２０２、クロージャ９０、バリヤ２３０および配置物２５０を含み、集合的に、下端部２００ｂの反対側に上端部２００ａを有する。上端部２００ａは容器２００の頂部末端２０２ａを画定し、下端部２００ｂは容器２００の底部末端２０２ｂを画定する。ボディ２０２、クロージャ９０および配置物２５０は一般に環形／円筒形であるが、他の実施形態では、これらのうちの１つまたは複数の構成要素の形状を変更することができ、それに対応して、組立て、構成要素の互いに対する結合、または当業者であれば思い付く他の構築を適合させるための調整が実施される。これらの構成要素は、存在すると予想される有害生物による除去／損傷および環境によって引き起こされる劣化に抵抗する、地中に配置するのに適した材料からなる。非限定的な一形態では、これらの構成要素が有機ポリマー化合物から製造される。
【００２９】
図１０および１１は、有害生物防除デバイス１１０のハウジング１７０を示す。ハウジング１７０は取外し可能なキャップ１８０を含む。ハウジング１７０は、例えば図２に示されているように地面Ｇの下に設置するように配置される。ハウジング１７０は、アクセス開口１７８と交わる室ないし内部空間１７２を画定する。餌容器２００は、開口１７８よりも上に容器２００が一切突き出すことなく開口１７８を通して内部空間１７２内に挿入されるようにサイズが決められる。ハウジング１７０は、地下端部１７１ｂの反対側にアクセス端部１７１ａを有する。端部１７１ｂは、図２に示されているように有害生物防除１１０を地中に配置するのを助けるテーパの付いた端１７５を含む。端１７５は開口部（図示せず）で終わる。ハウジング１７０によって画定されるいくつかの通路１７４が、内部空間１７２と連通することが好ましい。通路１７４は、シロアリが内部空間１７２に出入りするのに特によく適している。ハウジング１７０は、有害生物防除デバイス１１０を地中に配置することを助ける突き出たいくつかのフランジを有し、図１０にはそのうちのいくつかが、参照符号１７６ａ、１７６ｂ、１７６ｃ、１７６ｄおよび１７６ｅによって示されている。ハウジング１７０は、開口１７８を覆うキャップ１８０を含む。キャップ１８０は、ハウジング１７０の溝１７９と係合するように配置された下向きのプロング（prong）１８４を含む。ハウジング１７０上にキャップ１８０を完全に着座させた後、キャップ１８０を回転させて、プロング１８４を、分解に抵抗するバヨネット（bayonet）型接続によってラッチ位置にかみ合わせることができる。キャップ１８０を回転させることを助けるため、キャップ１８０をトップキャップレンチなどの工具、例えばマイナスドライバと係合させるスロット１８２を使用することができる。ハウジング１７０およびキャップ１８０は、予想される環境への暴露による劣化に抵抗し、有害生物防除デバイス１１０で検出される可能性が高い有害生物による改変に抵抗する材料から製造することができる。一形態では、これらの構成要素が、ポリプロピレンまたはＯｎｅ  Ｐｌａｓｔｉｃｓ  Ａｖｅｎｕｅ  Ｐｉｔｔｓｆｉｅｌｄ，ＭＡ  ０１２０１を会社所在地とするＧｅｎｅｒａｌ  Ｅｌｅｃｔｒｉｃ  Ｐｌａｓｔｉｃｓ社から販売されているＣＹＣＯＬＡＣ  ＡＲポリマープラスチック材料のようなポリマー樹脂から製造される。
【００３０】
シロアリ防除を対象とした一般的な用途では、端部１７１ｂが地面よりも下に貫入し、端部１７１ａがほぼ地面の高さに配置されるように、ハウジング１７０を地中に設置する。キャップ１８０を外し、空間１７２内に載置するために、餌容器２００を、開口１７８を通してハウジング１７０の空間１７２内に挿入する。最初に下端部２００ｂを、上端部２００ａに比べて地面からより下方に挿入する。地中のハウジング１７０内に餌容器２００を配置した後、開口１７８を覆うため、キャップ１８０を端部１７１ａと係合させる。ハウジング１７０および容器２００のこのような操作およびハンドリングに関して、部分１７１ａおよび２００ａは近位端部とも呼ばれ、部分１７１ｂおよび２００ｂは遠位端部とも呼ばれる。同様に、その結果得られた有害生物防除デバイスはそれぞれ、遠位端部１００ｂの反対側に近位端部１００ａを有する（図１１参照）。
【００３１】
システム２０で実現される１つの手順では、いくつかの有害生物防除デバイス１１０が、防護すべき地域に対して間隔を置いて設置される。非限定的な例として、図１は、防護すべき建築物２２の周囲に配置されたいくつかのデバイス１１０の可能な１つの分布を示す図を提供する。一般に、デバイス１１０はそれぞれ、図２に示されているように少なくとも部分的に地中に配置される。シロアリのコロニーは食物源への経路をいったん確立すると、その食物源に戻る傾向があることが分かっている。したがって、デバイス１１０は、建築物２２などの防護したい地域または構造物の近くにいる可能性があるシロアリがこのような経路を確立するように選択された位置に置かれる。
【００３２】
地中に設置された餌は、さまざまな劣化モードの影響を受けやすく、その多くが水分にさらされることに起因することが分かっている。一般に、設置されたハウジングが浸水したときなど、餌が水で飽和すると、餌は腐敗し、または劣化し／カビが生える。さらに、センサ１５０が、さまざまなタイプの紙など、水分によって改変しうる材料からなる基板１５１を含むときには、センサ１５０が、有害生物の存在の誤った指示を与える水による損傷を受けることがある。餌３１８および／またはセンサ１５０がこのように劣化することを防ぐことによって、標的有害生物に対する餌３１８の耐用寿命および嗜好性は増大し、センサ１５０の動作の信頼性は一般により高まる。図１１を参照すると、容器２００は、水が餌３１８に到達する機会を減らすように構築される。最初に設置されると、バリヤ２３０および配置２５０はそれぞれ、餌３１８の最下境界２７８に水が到達することを防ぐバリヤを提供する。しかしながら、バリヤ２３０および栓２５４の組成はシロアリによる除去を促進する。したがって、ハウジング１７０に遭遇すると、シロアリは通路１７４を通って餌容器２００に到達する。栓２５４はシロアリの嗜好に合った材料からなるため、シロアリは、おそらくは溝２６２によって導かれて栓２５４を貫通する通路２７２を形成して、室２７０に到達する可能性が高い。その結果、配置物２５０によって提示された水分バリヤは破られる。シロアリは、室２７０から、やはりシロアリが好む材料でできたバリヤ２３０に引き寄せられる。したがって、室２７０内のシロアリは仕切り２５６の開口２５８を通り抜け、通路２７４を形成して、バリヤ２３０と接触した餌３１８に到達する。その結果、バリヤ２３０によって提供された水分バリヤは破られる。
【００３３】
仕切り２５６は、シロアリによってバリヤ２３０が除去され、分断されたときに、餌室２４０内の餌３１８の最下境界２７８ｂを画定するように構築されていることを理解すべきである。フィッティング２５０の部分として、仕切り２５６は、シロアリによって容易に除去されずまたは改変されない材料からなる。したがって、餌３１８のより小さなある部分は開口２５８を通して落下する可能性があるが、餌３１８のより大きな片は、容器２００のボディ２０２内の、末端２０２ｂに対して上方へオフセットされた位置に維持される。対応するオフセット距離Ｈが図１１に示されている。容器２００の下端部から餌３１８が後退し、または引っ込むと、ポケット２８０が形成される。図１１に示されているように、ポケット２８０は、室２７０、通路２７２および通路２７４を含み、これらは全て交わって、シロアリが室２４０内の餌３１８に到達する経路を提供する。ポケット２８０は、その最も近い餌容器入口点を餌３１８の下方に有する任意のタイプの流体連通経路を含む、いくつかの異なる形状および構成をとることができる。したがって、容器のボディ２０２と気密シールを形成するために、クロージャ９０が容器のボディ２０２に係合されると、容器２００のこの集合的な構造が、上端部２０４から、下端部２０６の配置物２５０を通してシロアリが外部から入る最も高い入口点まで延びる気密境界を提供する。ポケット２８０は、このような入口点と室２４０内の餌３１８との間に形成される。
【００３４】
地中の水位が、アクセス配置物２５０を通してシロアリが外部から入る餌３１８への最も高い外部入口点よりも高い場合、ボディ２０２によって提供された気密境界がこの外部入口点まで続いている限り、形成されたポケット２８０は空気を閉じ込めて、ボディ２０２内において水が餌３１８まで上昇することを防ぐ。この閉じ込められた空気はその下方の水と界面を形成する。この界面の位置は、空気と水の間の圧力平衡の関数であり、温度、外気圧などの環境要因によって変化しうる。所与の環境条件に関して発揮された水圧により、閉じ込められた空気が圧縮される結果、ボディ２０２内の空気／水界面は一般に、ボディ２０２内においてある程度上方へ凹むことがある。アクセス配置物２５０は、餌３１８よりも距離Ｈだけ低いこのような入口点（１つまたは複数）の形成を誘導して、所望の環境条件範囲下において、仕切り２５６の上方に配置された餌３１８に水が到達する機会を減らす適切なポケット形成を提供する。好ましい一形態では、距離Ｈが約１センチメートル（ｃｍ）である。より好ましい形態では、距離Ｈが約２．５ｃｍ（１インチ）である。
【００３５】
シロアリが餌３１８に到達し、室２４０に侵入すると、基板１５１が改変される可能性が高まり、ついには経路１５４が破壊される。このことを使用して、センシングアセンブリ１１９の通信回路１６０によってシロアリの存在を知らせることができる。示された形態では、回路１６０が、質問機３０からの外部無線信号に応答して経路１５４のステータスを報告する受動型回路である。図１３は、質問機３０および代表的な有害生物防除デバイス１１０の有害生物監視アセンブリ１１２の回路を概略的に示す。図８の監視回路１６９は、集合的に、接続部材１４０によってセンサ１５０の導体１５３に接続された通信回路１６０を表す。図１３では、監視回路１６９の経路１５４が、有害生物の活動に応じて閉または開電気経路を提供するセンサ１５０の能力に対応した単極単投型スイッチによって表されている。さらに、通信回路１６０は、通電されたときに２状態ステータス信号を提供するセンサ状態検出器１６３を含み、一方の状態は、開経路または高抵抗経路１５４を表し、もう一方の状態は、電気的に閉じた経路または連続経路１５４を表す。通信回路１６０はさらに、デバイス１１０に対する対応する識別信号を生成する識別コード１６７を含む。識別コード１６７は、所定のマルチビット２進コードの形態、または当業者なら思い付くであろう同様の他の形態をとることができる。
【００３６】
通信回路１６０は、コイルアンテナ１６２を通して受け取った質問機３０からの外部刺激または励起信号によって通電される受動ＲＦ応答機として構成される。同様に、回路１６０の検出器１６３およびコード１６７もこの刺激信号によって給電される。刺激信号による通電に応答して、通信回路１６０はコイルアンテナ１６２によって質問機３０に、被変調ＲＦフォーマットの情報を送信する。この無線送信は、検出器１６３によって決定されたシロアリの存在および識別コード１６７によって提供される固有のデバイス識別子に対応する。
【００３７】
図１３はさらに質問機３０の通信回路３１を示す。質問機３０は、ＲＦ刺激信号を生成するＲＦ励起回路３２と、ＲＦ入力を受け取るＲＦ受信（ＲＸＲ）回路３４とを含む。回路３２および３４はそれぞれコントローラ３６に動作可能に結合されている。質問機３０は、回路３２および３４に対して別個のコイルを有するように示されているが、他の実施形態では、両方の回路に対して同じコイルを使用することができる。コントローラ３６は、質問機３０の入出力（Ｉ／Ｏ）ポート３７およびメモリ３８に動作可能に結合される。質問機３０は、回路３１に通電するそれ自体の電源（図示せず）を有し、これは一般に、電気化学セルまたは電気化学セルのバッテリ（図示せず）の形態をとる。コントローラ３６は１つまたは複数の構成要素からなることができる。一例では、コントローラ３６が、メモリ３８にロードされた命令を実行するプログラム可能なマイクロプロセッサベースのコントローラである。
【００３８】
Ｉ／Ｏポート３７は、図１に示されているように、質問機３０からデータ収集ユニット４０にデータを送るように構成される。図１を再び参照して、データ収集ユニット４０の追加の態様を説明する。ユニット４０のインタフェース４１は、Ｉ／Ｏポート３７を介して質問機３０と通信するように構成される。質問機３０から得たデバイス１１０についての情報を記憶し、処理するため、ユニット４０はさらに、プロセッサ４２およびメモリ４４を含む。プロセッサ４２およびメモリ４４は、それぞれコントローラ３６およびメモリ３８に関して説明したのと類似の方法でさまざまに構成することができる。さらに、インタフェース４１、プロセッサ４２およびメモリ４４を同じ集積回路チップ上に統合することができる。
【００３９】
したがって、示された実施形態では、質問機３０が範囲内デバイス１１０に刺激信号を送信すると、通信回路１６０が、餌ステータス情報および識別子情報を質問機３０に送信する。質問機３０のＲＦ受信回路３４が、デバイス１１０からの情報を受け取り、コントローラ３６による操作およびメモリ３８への記憶のための適当な信号調節およびフォーマッティングを提供する。デバイス１１０から受け取ったデータは、Ｉ／Ｏポート３７をインタフェース４１に動作可能に結合することによって、データ収集ユニット４０に送信することができる。
【００４０】
配置後、設置されたデバイス１１０は定期的に位置が突き止められ、質問機３０によるそれぞれの無線通信回路１６０の質問によって、それぞれのデバイス１１０からデータがロードされる。このデータは、餌ステータス情報および識別情報に対応する。このようにして、目視検査のためにそれぞれのデバイス１１０を引き出しまたは開く必要なしに、所与のデバイス１１０内の有害生物の活動を容易に検出することができる。さらに、このような無線通信技法は、長期間記憶するためにデータ収集デバイス４０にダウンロードすることができる電子データベースの確立および構築を可能にする。
【００４１】
所与のデバイス１１０のステータス信号が、経路１５４が破壊されていることを指示している場合には、有害生物防除サービスの提供業者Ｐは、キャップ１９０およびクロージャ９０を外すことによって、そのようなデバイスを目視検査して、容器２００に餌を追加するかどうかを決定することができ、そうでなければ、地中のそのままの位置に有害生物防除デバイスを残す。あるいはまたは加えて、提供されるサービスは、デバイスの１１０の開いた近位端部１１０ａを通してアセンブリ１１９を取り出し、シロアリ活動を監視し続けるために改変されていない基板１５１を提供し、または容器２００を完全に取り替えることができる。シロアリの活動を検出する他の任意のデバイス１１０に対してこのような手順を繰り返すことができる。シロアリの活動が検出された後、センシングアセンブリ１１９を用いてさらに監視し、または監視せずに、餌の定期的な補充を実行することができる。
【００４２】
図１４〜１６は、代替餌容器の非限定的ないくつかの例を示す。同様の参照符号は、上で説明したのと同様の特徴を指す。図１４の透視図をより詳細に参照すると、容器３００は、上端部３３０の反対側に下端部３４０を有するボディ３０２を含み、容器２００に関して説明した方式と同じ方式でハウジング１７０に入るように構成される。上端部３３０は、ボディ３０２にねじ付けることによって係合される、上で説明した再密閉可能なクロージャと同様のクロージャ９０を有するように構成される。容器３００は、内部的に、上で説明したセンシングアセンブリ１１９（図示せず）を受け取る上座を有する構造とすることができ、またはいかなる形態のセンサも含まなくてもよい。
【００４３】
容器３００は、配置物２５０とは異なる下端部３４０によって画定された有害生物アクセス配置物によって、餌３１８に水が到達する機会を減らすように構築される。具体的には、下端部３４０が、容器３００の底部末端４０１によって画定された下縁４００と、室３１０内の餌３１８の下境界３７８を画定する仕切り３８０の形態の後退部材３７９とを含む。仕切り３８０は、下縁４００から距離Ｈだけ引っ込み、または後退しており、仕切り３８０と下縁４００の間にギャップ４０３を形成する。ギャップ４０３は、容器３００が地中に垂直に置かれたときに、上で説明したものと同様の空気閉じ込めポケット２８０を提供する。下縁４００は、容器３００の下端３０４に、地下シロアリが室２４０内に入ることを可能にする下端開口４０５を画定する。仕切り３８０は、地下シロアリが餌３１８にアクセスすることを容易にするように構築された、室２４０と交わる複数の開口３９０を含む。仕切り３８０は、容器３００に取り付けられたメッシュスクリーンの形態をとることができる。本出願の一形態では、仕切り３８０が、米ウィスコンシン州のＷａｕｎａｋｅｅ，Ｉｎｃ．社から販売されている７メッシュプラスチックカンバスから形成され、接着剤で室３１０内に設置される。
【００４４】
容器３００は、内部空間３１０を画定する側壁４１０を含み、その一部は、最下境界３７８を有する上で説明した餌室２４０を提供する。下縁４００から仕切り３８０まで延びる側壁４１０の部分４２０は、シロアリが室３１０内へ入るのを助ける粗くされた表面を含むことが好ましい。部分４２０は、研摩紙粗加工または他の粗加工技法などの知られている方法によって粗くすることができる。
【００４５】
図１５は、本出願の他の実施形態の容器４００を示す。容器４００は、中心線Ｌを取り巻いて上端（図示せず）から下端３０４まで延びるボディ４０２を含む。容器３００と同様に、容器４００も、その一部が餌室２４０を画定する内部空間３１０を含む。室２４０は餌３１８（破断部分に示されている）を含む。容器４００は、下端部３４０の反対側に上端部（図示せず）を含む。下端部３４０は、容器４００の底部末端４０１によって画定された下縁５０１と、空間３１０内の餌３１８の下方の仕切り３８０とを備える有害生物アクセス配置物を含む。仕切り３８０は、下縁５０１から距離Ｈだけ引っ込み、または後退しており、ギャップ４０３を形成する。ギャップ４０３は、容器３００が地中に垂直に置かれたときに、上で説明したものと同様の空気閉じ込めポケット２８０を提供する。下縁５０１は、容器４００の下端３０４に、地下シロアリが室３１０内に入ることを可能にする開口４０５を画定する。開口４０５の他に、シロアリは、下縁５０１に形成された複数の開いたスロットまたはノッチ５２０を通して空間３１０に入ることができる。ノッチ５２０の追加は、シロアリが容器４００内へ入る別の通路を提供する。ノッチ５２０の最上境界５２０は、容器４００の室２４０内の餌３１８の下方の最も高い外部入口点を提供し、したがって、ポケット２８０に対応する距離Ｈはそこから示されている。
【００４６】
図１６は、本出願の他の実施形態の容器５００を示す。容器５００は上端（図示せず）から下端３０４まで延び、縦の中心線Ｌに関して対称であることが好ましい。容器３００と同様に、容器５００も、餌３１８を含む室３１０を含む（図１５には示されていない）。容器５００は、上端部（図示せず）および下端部３４０を含む。下端部３４０は、容器５００の底部末端４０１によって画定された下縁６０１と、空間３１０内の餌３１８の下方の仕切り３８０とを備える有害生物アクセス配置物を含む。仕切り３８０は、下縁６０１から距離Ｈだけ引っ込み、または後退しており、仕切り３８０と下縁６０１の間にギャップ４０３を形成する。ギャップ４０３は、容器５００がハウジング１７０内で垂直に使用されたときに、容器２００に関して上で説明したような空気閉じ込めポケット２８０を提供する。縁６０１は、容器５００の下端３０４に、地下シロアリが室３１０内に入ることを可能にする開口４０５を画定する。開口４０５の他に、シロアリは、下端部３０４の部分６３０に形成された複数の側面開口６２０を通して室３１０に入ることができる。開口６２０の最上境界は、容器５００の室２４０の餌３１８の下方の最も高い外部入口点を提供し、したがって、容器５００のポケット２８０に対応する距離Ｈはそこから示されている。
【００４７】
容器２００および３００と同様に、容器４００および／または５００も、上端および／またはセンサを密閉するクロージャ９０を含むことができる。さまざまな代替実施形態では、餌容器２００、３００、４００および／または５００に餌が装填される。餌は、誘引剤を含んでもまたは含まなくてもよいが、殺虫剤を含まない。この場合、センシングアセンブリ１１９を使用してシロアリの存在を検出することができ、検出した後に、餌に殺虫剤が追加され、かつ／または殺虫剤を含む餌に置き換えられる。他の代替実施形態では、本出願に基づく餌容器が、ハウジングなしで地中に直接に配置されるように構築される。他の代替実施形態では、餌容器の上端がクロージャまたは開口を含まず、その代わりに、餌容器の上端が、シロアリが入る選択された高さまで延びる気密境界を提供するように構築された容器ボディの一体部分である。他の実施形態では、餌容器が、センシングアセンブリ１１９と一緒に利用されない。加えてまたはあるいは、容器は、容器３００、４００および５００のような取外し可能なアクセス配置物を含まなくてもよく、かつ／または、水の侵入から防護するため空気を選択的に閉じ込めるために、容器２００、３００、４００および５００のポケット構成とは異なるポケット構成を提供することができる。他の実施形態では、シロアリ以外の有害生物を標的とするように餌および／または容器が変更される。他の実施形態は、地中に設置する以外のさまざまな環境に設置される、これらの変形実施形態のいずれかに基づく餌容器を含む。示された実施形態は、床のようなオフセットされた位置に餌３１８を保持する下部材ないし仕切りによって、餌３１８が支持されることを示しているが、他の実施形態では、下方の空気閉じ込めポケットから利益を得る十分なオフセットを提供するために、餌の一部または全部を餌室内に吊り下げ、または他の方式で餌室内に固定することができることを理解すべきである。特定の一実施態様では、餌の１つまたは複数の部分を、水にさらされることを防ぐためにポケットの上方に保持することができ、他の１つまたは複数の部分は、水にさらされる可能性がある他の場所に置かれる。容器２００の栓１５４をシロアリの嗜好に合った餌の形態と考えると、容器２００はこのような配置を例示する。上述のものの他に、さまざまな餌組成物および殺虫剤を使用することができる。本明細書に記載された任意の餌容器実施形態とともに使用することができるさまざまなセンサタイプ、センサ通信技法、餌物質、殺虫剤および有害生物防除デバイスの追加の例および開示は、いずれもその全体が本明細書に参照によって組み込まれる米国特許第６，７２４，３１２号、７，２１２，１１２号および７，２１２，１２９、ならびに米国特許出願公開第２００１／００３３２３０号および２００１／００５４９６２号に出ている。有害生物防除デバイスの他の形態は、センサがいかなる点にもない状態で使用される餌容器を含む。
【００４８】
他の実施形態では、有害生物防除デバイスが餌容器を含み、この餌容器が、シロアリ誘引剤を含む餌を含む室と、この室の内部への上開口を画定する上端部と、選択的に上開口にアクセスし、気密シールによって上開口を閉じるクロージャと、餌容器の底部末端を画定する下端部であり、餌容器が選択された向きに設置されたときに、下端部を通した水の侵入を低減させるために空気を閉じ込めるポケットを、餌の少なくとも一部分の下方に画定する下端部とを含む。
【００４９】
他の実施形態は、下端部の反対側に上端部を含む餌容器を備える。餌容器は、１種または数種のシロアリに対して毒性の殺虫剤を含む餌を含む室を画定する。下端部は、餌の少なくとも一部分の下方に配置され、餌へのシロアリのアクセスを可能にするように構築された有害生物アクセス配置物を含む。下端部は、餌容器が選択された向きに設置されたときに、有害生物アクセス配置物を通した水の侵入を低減させるために空気を閉じ込めるポケットを画定する。
【００５０】
他の実施形態は、少なくとも部分的に地中に設置されるように構築されたハウジングであり、アクセス開口を備える内部空間と、地下においてシロアリが内部空間内へ通過することを可能にする１つまたは複数の開口とを画定するハウジングと、アクセス開口を通してハウジングの内部空間内に受け取られるようにサイズおよび形状が決められた餌容器とを備える有害生物防除システムを対象とする。餌容器は、下端部の反対側に上端部を含み、シロアリの餌を含む室を画定する。下端部は、下端部を上端部よりも下にしてハウジング内に設置されたときに下端部を通した水の侵入を低減させるために、餌の少なくとも一部分の下方に空気閉じ込めポケットを含む。
【００５１】
他の実施形態は、下端部の反対側に上端部を含み、下端部と上端部の間に延びる室を画定する餌容器であり、この室がシロアリの餌を含み、下端部が、餌の少なくとも一部分の下方に空気閉じ込めポケットを画定する餌容器を用意すること、餌容器を設置する位置を選択すること、および前記位置において、下端部が上端部に比べて地面からより下方に配置されるように、餌容器を少なくとも部分的に地中に設置することを含む。
【００５２】
他の実施形態は、下端部の反対側に上端部を含み、下端部と上端部の間に延びる室を画定する餌容器を備える。この室は、シロアリを引き付ける餌を含み、下端部は、下端部を通した前記室内の餌へのシロアリのアクセスを上方へ誘導する手段を含み、餌容器は、下端部を上端部よりも下にして餌容器が地中に設置され、地中の水位が下端部の誘導手段に達したときに、誘導手段を通した水の侵入を低減させるために空気を閉じ込める手段を含む。
【００５３】
他の実施形態は、シロアリセンサと、下端部の反対側に上端部を含む餌とを備える。餌容器は、シロアリの餌とシロアリセンサの少なくとも一部分とを含む室を含む。下端部は、選択された向きに、少なくとも部分的に地中に設置されたときに、下端部を通した水の侵入を低減させるために、餌の少なくとも一部分の下方に空気閉じ込めポケットを含む。
【００５４】
他の実施形態では、有害生物防除デバイスが、シロアリが除去することができるシロアリを引き付ける材料からなる栓と、貫通するいくつかの開口を画定する上部材および栓を受け取るために上部材から下方へ延びる１つまたは複数の側壁を含むフィッティングとを含む有害生物アクセス配置物を備える。栓は、開口と交わるシロアリ集合室を画定するために、フィッティング内の上部材の下方に間隔を置いて配置され、前記１つまたは複数の側壁は、前記室に向かってシロアリを誘導するために、栓の表面と境界を接する１つまたは複数の溝を画定する。
【００５５】
実験結果
以下の実験結果は、例示的であり、本明細書に記載された本発明の性質および範囲に関して非限定的ないし非制限的であることが意図されている。
【００５６】
図１７〜２０は、空気閉じ込めポケット設計を有する容器２００、３００、４００、５００などの餌容器デバイス（以下「主題デバイス」と称する）と、比較実験の対照の役目を果たす、このようなポケットのない標準餌管デバイス（以下、特に「対照デバイス」と称する）との例示的な性能比較を示す、さまざまな棒グラフを示す。これらの実験に関して、新規のデバイスおよび対照デバイスはそれぞれ、テクスチャードセルロース／殺虫剤（textured cellulose and pesticide）を含む同じペレット型の餌を含む。それぞれのデバイスを、土を入れたポットの中に配置された参照符号１７０によって示されたハウジングなどのハウジングの中に置いた。これを集合的にステーションと呼ぶ。２つの異なるそれぞれの試験に対して、それぞれのタイプのデバイスを８つ使用した。結果は平均し、図１７〜２０にグラフとして示した。
【００５７】
第１の試験は、ステーション内に停滞水のない湿った土の試験である。水道水を加えて、それぞれのポットの土を徹底的に湿らせたが、ステーションの底に過剰な水はなかった。ほぼ最初の水分レベルを維持するのに必要な水を毎日ポットに加えた。第２の試験は、ステーションの底に１インチの停滞水が継続してある非常に湿った土の試験である。ポットの底から水が流れ出るように、水道水で土を徹底的に濡らした。ステーションの底に１〜１．５インチの水が溜まる点まで水がポットに吸い込まれるように、十分な水を加えた。毎日水を加えることによって、水位は、ステーションの底から１〜１．５インチに維持した。
【００５８】
停滞水のない湿った土について、１３週の実験期間の間の乾いた餌ステーションの週ごとの百分率を示す棒グラフが図１７に示されている。最初のチェックは３日後（３ｄ）に実施し、その後は週に１回実施した。主題デバイスを含むステーションに関しては、８週にわたって１００％のデバイスが乾いていたが、９週間後に１つのデバイスの餌が水分を含み、１１週間後に２つのデバイスの餌が水分を含んでいた。以降の週ごとのチェックの間、これらの主題デバイスは乾いている判定された。主題デバイスをステーション内、特に底に湿った／濡れた土を有するステーション内に落下させると、水分／泥がデバイス内へはね上がる可能性があり、それが一時的に餌を濡らすと推測される。対照デバイスは１週間後に１００％が濡れており、１３週間にわたって濡れたままだった。
【００５９】
図１８は、１３週間の湿った土の試験に関する週１回のカビ評定（mold rating）を示す棒グラフを示す。カビ評定は週１回実施し、０〜３の尺度を利用した。カビ尺度は、０＝ほぼ新しい、１＝わずかなカビ、変色が見られる、２＝中程度、３＝重度のカビ、とした。カビ評定は、オペレータの目視観測によって決定した。１３週の間、主題デバイス内の餌にカビは生えず、カビ評定は全て０（ほぼ新しい）であった。対照デバイスに関しては、１週間後に餌のカビが検出され、１３週までに平均カビ評定はほぼ、中程度のカビ増殖に相当する２となった。４〜１３週にかけて、カビは、主題デバイス内の餌よりも対照デバイスの餌の方がかなり多かった。
【００６０】
次に図１９を参照すると、１３週にわたる水に浸かった土の試験におけるデバイス内の乾いた餌の週ごとの百分率を示す棒グラフが示されている。最初のチェックは３日後に実施し、その後は週に１回実施した。主題デバイスに関しては、３週間後に２つのデバイスが水分を含んでいたが、４および５週間後には再び１００％が乾いており、６〜８週では８７．５％、９週間後には６２．５％が乾いており、その後、百分率は低下して、１３週後には３７．５％が乾いていた。対照デバイスは、最初のチェックである３日後に１００％が濡れており（乾燥０％）であり、残りの期間もそのままであった。チェックした後にステーション内に主題デバイスを落下させたときのはね返りが、主題デバイスの餌が濡れる原因であると推測される。追加の観察として、主題デバイスうちの４つのデバイスで、原型仕切り部材を保持していた接着剤が時間の経過とともに機能しなくなったようであり（９週間後に１つ、１０週間後に１つ、１２週間後に２つ）、それによって仕切り部材がゆるくなり、それにより、ステーションの底の１〜１．５インチの水に餌が近づき、またはこの水に浸かった。
【００６１】
図２０は、図１８に関して説明したのと同じ尺度および技法を使用した、１３週にわたる水に浸かった土の試験における週ごとのカビ評定を示す棒グラフを示す。週ごとの全てのチェック（１〜１３週）について、対照デバイスの餌には、主題デバイスの餌に比べてかなり多くのカビの増殖が見られた。主題デバイスでは６週間後までカビは見られず、カビ評定の平均は１３週後で約０．６であった（１＝わずかなカビの増殖）。対照デバイスの餌の平均カビ評定は１３週後には３に近づいた（３＝重度のカビ増殖）。
【００６２】
本明細書に明示された任意の理論、動作機構、証明または知見は、本出願の理解をさらに深めることを意図したものであり、どのような形であれ、本出願を、そのような理論、動作機構、証明または知見に従属させることを意図したものではない。上記の説明における語「好ましい」、「好ましくは」または「より好ましい」の使用は、そのように記述された特徴がより望ましいことがあるが、それにもかかわらず、それが不要であることがあり、それを欠く実施形態が、下記の特許請求の範囲によって定義された本発明の範囲に含まれるものとして企図されることがあることを理解すべきである。特許請求の範囲を読む際、「ある１つの」、「少なくとも１つの」、「少なくとも一部分」などの語が使用されているときには、その請求項にそのように限定されると明示されていない限り、その請求項を１つのアイテムだけに限定する意図はないことが意図される。さらに、語「少なくとも一部分」および／または「一部分」が使用されているときには、そうではないと明示されていない限り、そのアイテムは、一部分および／またはアイテム全体を含むことができる。図面および以上の説明において、本発明を示し、詳細に説明したが、それは、本質において例示的であり、非限定的であるとみなすべきであり、選択された実施形態だけを示し、説明したこと、ならびに、本明細書に定義されまたは以下の請求項のいずれかによって定義された本発明の趣旨に含まれる全ての変更、修正および等価物の保護が要求されていることが理解される。
【符号の説明】
【００６３】
２０  有害生物防除システム
２２  建築物
３０  質問機
３１  通信回路
３２  接触パッド
３２  ＲＦ励起回路
３４  電気絶縁フィルム
３４  ＲＦ受信（ＲＸＲ）回路
３６  基板の開口部
３６  コントローラ
３７  入出力（Ｉ／Ｏ）ポート
３８  メモリ
４０  データ収集ユニット（ＤＣＵ）
４１  通信インタフェース
４２  プロセッサ
４４  メモリ
９０  クロージャ
９１  キャップ
９２  めねじ
９４  ハンドル
１１０  有害生物防除デバイス
１１０ａ  近位端部
１１０ｂ  遠位端部
１１２  有害生物監視アセンブリ
１１４  センササブアセンブリ
１１６  通信回路サブアセンブリ
１１８  回路エンクロージャ
１１９  センシングアセンブリ
１２０  カバーピース
１２２  空洞
１２４  Ｏリング１２４
１３０  ベース
１３１  溝
１３２  柱
１３４  マウント
１３６  支持体
１３７  開口
１３８  突起
１３９  凹み
１４０  接続部材
１４５  ナブの頭部
１４６  接続ナブ
１４７  ナブの頸部
１４８  突起
１４９  凹み
１５０  センサ
１５１  センシング基板
１５２ａ  センサの端部
１５２ｂ  センサの端部
１５３  導体
１５３ａ  センシング素子
１５４  導電性経路
１６０  通信回路
１６２  コイルアンテナ
１６３  センサ状態検出器
１６４  プリント配線板
１６６  回路構成要素
１６７  識別コード
１６９  監視回路
１７０  ハウジング
１７１ａ  アクセス端部
１７１ｂ  地下端部
１７２  内部空間
１７４  通路
１７５  テーパの付いた端
１７６ａ  フランジ
１７６ｂ  フランジ
１７６ｃ  フランジ
１７６ｄ  フランジ
１７６ｅ  フランジ
１７８  アクセス開口
１７９  溝
１８０  キャップ
１８２  スロット
１８４  プロング
２００  餌容器
２００ａ  上端部
２００ｂ  下端部
２０２  管状ボディ
２０２ａ  頂部末端
２０２ｂ  底部末端
２０４  環状ボディの上端部
２０６  環状ボディの下端部
２１０  環状ボディの内部空間
２１４  上開口
２１５  おねじ
２１６  下開口
２１７  めねじ
２１８  座
２２０  下座
２３０  水分バリヤ
２４０  餌含有室
２５０  有害生物アクセス配置物
２５２  フィッティング
２５４  栓
２５６  仕切り
２５８  貫通開口
２６０  側壁
２６２  溝
２６４  おねじ
２７０  下室
２７２  通過路
２７４  通路
２７８  下境界
２８０  ポケット
３１８  餌
３２０  ペレット
【図１】
2010534473.tif 000003
【図２】
2010534473.tif 000004
【図３】
2010534473.tif 000005
【図４】
2010534473.tif 000006
【図５】
2010534473.tif 000007
【図６】
2010534473.tif 000008
【図７】
2010534473.tif 000009
【図８】
2010534473.tif 000010
【図９】
2010534473.tif 000011
【図１０】
2010534473.tif 000012
【図１１】
2010534473.tif 000013
【図１２】
2010534473.tif 000014
【図１３】
2010534473.tif 000015
【図１４】
2010534473.tif 000016
【図１５】
2010534473.tif 000017
【図１６】
2010534473.tif 000018
【図１７】
2010534473.tif 000019
【図１８】
2010534473.tif 000020
【図１９】
2010534473.tif 000021
【図２０】
2010534473.tif 000022
【国際調査報告】
2010534473.tif 000023
2010534473.tif 000024
2010534473.tif 000025
2010534473.tif 000026
2010534473.tif 000027